(57)【要約】      （修正有）【課題】排水口フィルターのネットの広がりが維持され易く、目詰まりしづらい排水口フィルターを提供する。【解決手段】排水路４が貫通形成された台座シート３と、台座シートの下面に保持構造１１により保持された袋状の弾性ネット５とを備え、弾性ネット５の上端部位が周方向全域に亘り内側に折り曲げられた状態で保持され、折り曲げた部位近傍の弾性復帰力が、弾性ネット５の膨出方向に働くように構成する。【選択図】図１
2015140647.tif 000002
【特許請求の範囲】
【請求項１】
浴室等の排水口に設置して排水を濾過するための排水口フィルターであって、排水路が貫通形成された台座シートと、当該台座シートの下面に保持構造により保持された袋状の弾性ネットとを備え、当該弾性ネットの上端部位が周方向全域に亘り内側に折り曲げられた状態で保持され、当該折り曲げた部位の弾性復帰力が、当該弾性ネットの膨出方向に働くように構成されていることを特徴とする排水口フィルター。
【請求項２】
前記台座シートは、前記排水口を中心とする円形に構成され、前記保持構造は、当該台座シートの周方向等間隔に形成された複数の突起を含み、当該突起の各々は、前記弾性ネットを掛け留め可能に構成されていることを特徴とする請求項１記載の排水口フィルター。
【請求項３】
前記突起は、前記台座シートの中心方向に向かって開口する略Ｖ字状又は略Ｕ字状の切り込みによって形成される掛け留め突起であって、当該切り込みの両開放端には、前記弾性ネットを構成する糸を収容するための孔部が設けられていることを特徴とする請求項２記載の排水口フィルター。
【請求項４】
前記弾性ネットは、熱可塑性樹脂によって構成され、かつ、熱処理によって膨出形状に成形されていることを特徴とする請求項１ないし請求項３に記載の排水口フィルター。
【発明の詳細な説明】
【技術分野】
【０００１】
本発明は、浴室や台所等での排水口に設置される排水口フィルターに関する。
【背景技術】
【０００２】
浴室や台所の排水口部分に装着して、髪の毛や石鹸カスを捕捉するフィルターとして中央に穴を設けた台座シートに良通水性で柔軟性を有する筒状の水切り袋を取り付けた排水口フィルターが提案されている（特許文献１）。
【先行技術文献】
【特許文献】
【０００３】
【特許文献１】特許出願公開番号２０１０−１８９８８２
【発明の概要】
【発明が解決しようとする課題】
【０００４】
特許文献１に記載されている排水口フィルターは、内側に湾曲する逆さ円錐状になっているネット袋で、使用時の流水によってネットが膨出変形することを企図しているが（段落００２４）、図１０に示すようにネットには円錐状に形成された故の弾性力が内側向き（矢印Ｂ）に働くので、ネットは流水によって十分広がらない場合があり、狭いまま目詰まりしやすい。従って排水口フィルターの交換回数が多く、コスト高、ゴミの増加につながるという問題を有していた。本発明は、排水口フィルターのネットの広がりが維持され易く、目詰まりしづらい排水口フィルターを提供することを目的とする。
【課題を解決するための手段】
【０００５】
上記課題を解決し、その目的を達成する手段として請求項１に記載の本発明は、浴室等の排水口に設置して排水を濾過するための排水口フィルターであって、排水路が貫通形成された台座シートと、当該台座シートの下面に保持構造により保持された袋状の弾性ネットを備え、当該弾性ネットの上端部位が周方向全域に亘り内側に折り曲げられた状態で保持され、当該折り曲げた部位の弾性復帰力が、当該弾性ネットの膨出方向に働くように構成されていることを特徴としている。
【０００６】
また請求項２に記載の本発明は、前記台座シートが、排水口を中心とする円形に構成され、保持構造は、当該台座シートの周方向等間隔に形成された複数の突起を含み、当該突起の各々は、前記弾性ネットを掛け留め可能に構成されていることを特徴としている。
【０００７】
また請求項３に記載の本発明は、突起が、台座シートの中心方向に向かって開口する略Ｖ字状又は略Ｕ字状の切り込みによって形成される掛け留め突起であって、当該切込みの両開放端には、弾性ネットを構成する糸を収容するための孔部が設けられていることを特徴としている。
【０００８】
また請求項４に記載の本発明は、弾性ネットが熱可塑性樹脂によって構成され、かつ、熱処理によって膨出形状に成形されていることを特徴としている。
【発明の効果】
【０００９】
本発明では、当該弾性ネットの上端部位が周方向全域に亘り内側に折り曲げられた状態で保持され、当該折り曲げた部位の弾性復帰力が、当該弾性ネットの膨出方向に働くように構成されていることから、当該弾性ネットの上端部位近傍のネットの膨出方向への広がりを維持でき、目詰まりしづらい排水口フィルターを提供することができる。
【００１０】
当該台座シートは、周方向等間隔に形成された複数の突起を含み、当該突起の各々は、前記弾性ネットを掛け留め可能に構成されていることから、着脱可能であり、熱エネルギー不使用、接着剤不使用であるため、地球環境にやさしい。
【００１１】
当該突起は、前記台座シートの中心方向に向かって開口する略Ｖ字状又は略Ｕ字状の切り込みによって形成される掛け留め突起であって、当該切り込みの両開放端には、前記弾性ネットを構成する糸を収容するための孔部が設けられていることから、突起が持ち上がらずに台座シート本体にフラットに収まって凹凸が無くなるため、ゴミが絡まない。また、孔に糸が収まることで、糸が抜けおちない。
【００１２】
当該弾性ネットは、熱可塑性樹脂によって構成され、かつ、熱処理によって膨出形状に成形されていることから、当該弾性ネットの形が収縮せずに広がった形で固まり張りが出るため、折り曲げた時に、当該弾性ネットの上端部位近傍の弾性復帰力がより強まり、ゴミの補足空間はさらに広い面積を確保できる。
【図面の簡単な説明】
【００１３】
【図１】本発明の一実施形態を示す斜め上からの斜視図である。
【図２】台座シートと弾性ネットとを分離した状態での分解斜視図である。
【図３】分解時の台座シート（突起による保持構造が周縁端部に設けられた場合）の表面を示す平面図である。
【図４】分解時の台座シート（突起による保持構造が周縁端部の少し内側に設けられた場合）の表面を示す平面図である。
【図５】分解時の台座シート（突起の周辺に変形した孔を設けた場合）の表面を示す平面図である。
【図６】突起に掛け留めしたネットの折り曲げ部位を示す縦断の部分拡大図である。
【図７】膨出形状に形成した弾性ネットの断面図である。
【図８】突起による保持構造の拡大平面図である。
【図９】図８に示すＡ−Ａの断面図である。
【図１０】従来の排水口フィルターの縦断の部分拡大図である。
【発明を実施するための形態】
【００１４】
以下、各図を参照しながら、本発明を実施するための形態について説明する。図１〜図２に示すように、排水口フィルター１は、台座シート３と、台座シートの下面（排水口側の面）３′に保持構造１１により保持された筒状又は袋状の弾性ネット５とから構成される。
【００１５】
台座シート３は、図１に示すように排水口を中心とする円形に構成され、排水路４が貫通成形されている。材質は、ポリプロピレン(ＰＰ)樹脂シートの単体であるが、ポリエチレン（ＰＥ）樹脂単体や、紙にＰＰ樹脂ラミネート加工またはＰＥ樹脂加工をしたものでもよい。また、地球環境の観点から、いずれも焼却時燃焼カロリーが低い生分解性プラスチック単体、石紙単体、または板紙でもよい。なお、板紙の耐水性を向上させるために表裏をプラスチックコートすることが好ましい。台座シート３の表面は、着色、デザイン印刷をしてもよい。
【００１６】
台座シート３の大きさは、直径１００mm前後、肉厚は０．５mm前後である。図１に示すように台座シート３には、中心の排水路４を開放可能に塞ぐ舌状弁４′を設けてある。舌状弁４′は、その周縁の一部を残して打ち抜き、形成する。残った部分がヒンジの役割をして、図１に示すように、排水時に下方へ折れ下がることにより、排水機能を保つとともに、排水していない時には弾性ネット５に詰まったゴミ等を隠す役割を担っている。なお、ここでゴミ等を目隠しする必要が不要であれば、舌状弁４′は無くてもよい。
【００１７】
弾性ネット５について、形状は、図１に示すように下端部５ｄが閉じられた筒状に形成されている。弾性ネット５の素材はポリエチレンで、弾力性があり、良通水性のメッシュが好ましいが、弾性ネット５の素材は、地球環境の観点から、焼却時燃焼カロリーが低い生分解性プラスチックでもよい。弾性ネット５の網目の大きさは、一辺が５ｍｍ程度のひし形になるよう構成されている。織り方によっては六角形その他の形状となる網目を構成するようにしてもよい。また、網目の大きさは用途に応じて、５ｍｍよりも大きくすることも小さくすることも可能である。弾性ネット５は、後述するように熱処理することにより予め膨出形状形成しておくとネットの広がりが、より維持されやすいので好ましい。
【００１８】
台座シート３と弾性ネット５とを一体化するための保持構造１１について説明する。図８に示すように台座シート３の周縁端部には、Ｖ字またはＵ字の切り込み１３を入れ、突起１５を周方向等間隔に形成し、そこへ弾性ネットの一部構成糸５ｅを掛け留めするように構成されている。切り込みの場所は、図４に示すように周縁端部から少し内側に設けられてもよい。切り込み数は８か所が好ましいが、図６に示す弾性ネットの上端部位５ｃが排水の圧力に負けない範囲で（ネットが外側へめくれ出ない範囲で）その他複数ヶ所でもよい。切り込みの形は、Ｖ字型であるが、Ｕ字、Ω型でもよい。切り込み１３の両開放端には、図８または図９に示すように、弾性ネットを構成する糸５ｅを収容するための孔部１４が設けられている。本実施形態の孔部１４の形は円形であるが、図５に示すように変形さてもよい。本実施形態における保持構造１１は掛け留めであるが、熱溶着や接着剤を使って保持する構成を排除しない。
【００１９】
台座シート３に弾性ネット５を取り付ける手順について説明する。図６に示すように、弾性ネットの上端部位５ｂ〜５ｃを周方向全域に亘り内側へ折り曲げ、その状態で折り返し部５ｂの一部構成糸５ｅ（図８）を、台座シート３に設けられた突起１５に掛け留めすることで一体化している。ここで、図６に示すように弾性ネットの折り曲げた上端部位近傍５ａ〜５ｃが、弾性復帰する力を持つためにその復帰力が当該弾性ネットを矢印ａに示すように膨出方向へ広げる力となって働く。
【００２０】
ここで弾性ネット５の膨出形状形成は、図７に示すように、例えば円柱状の金属筒７に弾性ネット５を被せて矢印ｃの方向へ弾性ネット５を広げ、その状態で例えば１００度の蒸気をあてる等、熱処理を施して行う。蒸気をあてる代わりに金属筒７自体を高温にしておくだけでもよい。これにより弾性ネット５に角部を作ることで、膨出形状を形成でき、膨らみが維持されやすい。またこのようにすることで、弾性ネット５の上端部位近傍５ａ〜５ｃがストレートに形状形成されているので素材の張りが強くなり、台座シート３に取り付けられた後の弾性復帰力が強くなる。膨出形状は、排水口内の内部構造、例えば封水筒などの形態に合わせ適宜設定してよい。
【００２１】
このように構成した排水口フィルター１は、折り曲げた上端部位近傍５ａ〜５ｃの弾性復帰力によって弾性ネット５の広がりが維持され易いので、受水面積の減少防止につながり、目詰まりしづらい排水口フィルター１を提供することができる。また、台座シート３と袋状弾性ネット５とを掛け留めによって一体化する構成は、熱エネルギーや接着剤を使用しないため、地球環境にやさしい。保持構造の突起１５や孔部１４については、図５のように変形させることで、デザイン性が高くなり、かわいらしさなどを表現できる。また、孔部１４を広めに変形させる（突起１５の頂点付近まで孔を開ける）ことで、構成糸５ｅを孔部１４へ送りこませることが早く容易にできるので、作業効率がよい。  
【産業上の利用可能性】
【００２２】
本発明に係る排水口フィルターは、浴室の洗い場などのように一時に大量の水が流れ込む排水口に使用することができる。
【符号の説明】
【００２３】
１・・・排水口フィルター、  ３・・・台座シート、  ３′・・・台座シートの下面、  ４・・・排水路、  ４′・・・舌状弁、  ５・・・弾性ネット、  ５ａ・・・折り返し下部、  ５ｂ・・・折り返し部、  ５ｃ・・・上端部位、  ５ｄ・・・下端部、  ５ｅ・・・構成糸、  ７・・・金属筒、  １１・・・保持構造、  １３・・・切り込み、  １４・・・孔部、  １５・・・突起
【図１】
2015140647.tif 000003
【図２】
2015140647.tif 000004
【図３】
2015140647.tif 000005
【図４】
2015140647.tif 000006
【図５】
2015140647.tif 000007
【図６】
2015140647.tif 000008
【図７】
2015140647.tif 000009
【図８】
2015140647.tif 000010
【図９】
2015140647.tif 000011
【図１０】
2015140647.tif 000012